【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
遊技者が操作することにより遊技領域に向けて遊技球を発射させる発射装置と、
遊技球が流下する所定の流下領域を含む遊技領域が形成された遊技盤と、
前記所定の流下領域に進入した遊技球が必ず入球し、当該入球した遊技球を所定の割合で複数の出口に振り分ける振分装置と、
遊技球が入球することが可能な第一入球口および第二入球口を含む複数の入球口と、
を備え、
前記所定の流下領域は、前記発射装置を操作することで遊技者が意図して遊技球を必然的に当該領域内に進入させることが可能な領域であり、
前記振分装置には、振り分けられた遊技球が前記第一入球口に入球することが可能な領域であって、当該第一入球口に向けて遊技球を誘導する誘導部材が設けられた領域に進入する第一出口と、振り分けられた遊技球が前記第二入球口に必ず入球する第二出口とが設けられており、
前記振分装置は、所定数の遊技球が入球したとき、必ず一つの遊技球を前記第二出口に振り分けるものであり、
前記第一入球口に遊技球が入球したことを契機として実行される事象と、前記第二入球口に遊技球が入球したことを契機として実行される事象は同じであることを特徴とする遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、遊技者が操作することにより遊技領域に向けて遊技球を発射させる発射装置と、遊技球が流下する所定の流下領域を含む遊技領域が形成された遊技盤と、前記所定の流下領域に進入した遊技球が必ず入球し、当該入球した遊技球を所定の割合で複数の出口に振り分ける振分装置と、遊技球が入球することが可能な第一入球口および第二入球口を含む複数の入球口と、前記所定の流下領域は、前記発射装置を操作することで遊技者が意図して遊技球を必然的に当該領域内に進入させることが可能な領域であり、前記振分装置には、振り分けられた遊技球が前記第一入球口に入球することが可能な領域であって、当該第一入球口に向けて遊技球を誘導する誘導部材が設けられた領域に進入する第一出口と、振り分けられた遊技球が前記第二入球口に必ず入球する第二出口とが設けられており、前記振分装置は、所定数の遊技球が入球したとき、必ず一つの遊技球を前記第二出口に振り分けるものであり、前記第一入球口に遊技球が入球したことを契機として実行される事象と、前記第二入球口に遊技球が入球したことを契機として実行される事象は同じであることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項１に記載の発明によれば、振分装置内に入球した遊技球は、所定の割合で各出口に振り分けられることとなるが、その一部である第二出口に振り分けられた遊技球は必ず第二入球口に入球することとなる。つまり、振分装置が設けられた領域に遊技球を進入させさえすれば所定の割合で第二入球口に遊技球が入球することとなるから、入球口への遊技球の入球頻度が低下し、遊技者が苛立ってしまう事態が発生してしまうのを抑制することが可能である。
また、振分装置に所定数の遊技球が入球したとき、必ず一つの球技球が第二出口に振り分けられるようにすれば、所定数に一球の割合で第二入球口に遊技球が入球することとなるから、入球口への遊技球の入球頻度が低下し、遊技者が苛立ってしまう事態が発生してしまうのを抑制することが可能である。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００８８
【補正方法】変更
【補正の内容】
【００８８】
・第六変形例
上記実施形態にかかる遊技機１は、左側の遊技領域９２２ａに進入した遊技球が全て振分装置２内に進入する構成であることを説明したが、振分装置２内に進入せず、そのまま遊技領域９２２を流下する遊技球が生じうる構成としてもよい。ただし、始動入賞口への遊技球の入賞を一定の割合で確実に確保するという観点から言えば、上記実施形態にかかる遊技機１のように、左側の遊技領域９２２ａに進入した遊技球の全てが振分装置２内に進入する構成にするとよい。
以下、上記実施形態から得られる具体的手段（遊技機）を列挙する。
手段１にかかる遊技機は、遊技球が流下する所定の流下領域を含む遊技領域が形成された遊技盤と、前記所定の流下領域に進入した遊技球が必ず入球し、当該入球した遊技球を所定の割合で複数の出口に振り分ける振分装置と、遊技球が入球することが可能な第一入球口および第二入球口を含む複数の入球口と、を備え、前記振分装置には、振り分けられた遊技球が前記第一入球口に入球することが可能な領域に進入する第一出口と、振り分けられた遊技球が前記第二入球口に入球する第二出口とが設けられていることを特徴とする。
手段２にかかる遊技機は、手段１に記載の遊技機において、前記振分装置は、所定数の遊技球が入球したとき、必ず一つの球技球を前記第二出口に振り分けることを特徴とする。
手段３にかかる遊技機は、手段１または手段２に記載の遊技機において、前記第一入球口に遊技球が入球したことを契機として実行される事象と、前記第二入球口に遊技球が入球したことを契機として実行される事象は同じであることを特徴とする。
手段４にかかる遊技機は、手段１から手段３のいずれかに記載の遊技機において、前記第一出口に振り分けられた遊技球が進入する領域は、相対的に前記第一入球口に入球しやすい領域と、相対的に前記第一入球口に入球しにくいまたは入球不可能な領域を含むことを特徴とする。
手段５にかかる遊技機は、手段１から手段４のいずれかに記載の遊技機において、前記遊技領域は、前記所定の流下領域とは異なる別の流下領域を含み、遊技状態として、遊技者が前記別の流下領域を遊技球が流下するように遊技するよりも、前記所定の流下領域を遊技球が流下するように遊技した方が遊技者の受ける利益が大きい第一遊技状態と、遊技者が前記所定の流下領域を遊技球が流下するように遊技するよりも、前記別の流下領域を遊技球が流下するように遊技した方が遊技者の受ける利益が大きい第二遊技状態と、が設定されていることを特徴とする。
手段６にかかる遊技機は、手段１から手段５のいずれかに記載の遊技機において、前記振分装置は、入球した遊技球が前記第二出口よりも前記第一出口に振分られやすく設定されていることを特徴とする。
手段７にかかる遊技機は、手段１から手段６のいずれかに記載の遊技機において、前記第一出口に振り分けられた遊技球が進入する領域には、当該遊技球が入球可能な前記第一入球口および前記第二入球口とは異なる別の入球口が設けられており、遊技球が前記第一入球口または前記第二入球口に入球したことを契機として実行される事象と、遊技球が前記別の入球口に入球したことを契機として実行される事象は異なることを特徴とする。
手段１にかかる遊技機によれば、振分装置内に入球した遊技球は、所定の割合で各出口に振り分けられることとなるが、その一部である第二出口に振り分けられた遊技球は必ず第二入球口に入球することとなる。つまり、振分装置が設けられた領域に遊技球を進入させさえすれば所定の割合で第二入球口に遊技球が入球することとなるから、入球口への遊技球の入球頻度が低下し、遊技者が苛立ってしまう事態が発生してしまうのを抑制することが可能である。
手段２にかかる遊技機のように、振分装置に所定数の遊技球が入球したとき、必ず一つの球技球が第二出口に振り分けられるようにすれば、所定数に一球の割合で第二入球口に遊技球が入球することとなるから、入球口への遊技球の入球頻度が低下し、遊技者が苛立ってしまう事態が発生してしまうのを抑制することが可能である。
手段３にかかる遊技機のように、第一入球口に遊技球が入球したことを契機として実行される事象と、第二入球口に遊技球が入球したことを契機として実行される事象が同じであれば、第一入球口に遊技球が入球しなくても、第二入球口に遊技球が入球することで当該事象が発生することとなるから、遊技者が苛立ってしまう事態が発生してしまうのを抑制することが可能である。
手段４にかかる遊技機のように、第一出口に振り分けられた遊技球が進入する領域が、相対的に第一入球口に入球しやすい領域と、相対的に第一入球口に入球しにくいまたは入球不可能な領域を含むようにすることで、遊技機本来の趣向性（遊技球が様々な態様で流下し、入球口に入ったり入らなかったりすることによって生ずる面白さ）が低下してしまうのを抑制することが可能である。
手段５にかかる遊技機のように、遊技状態に応じて遊技球を進入させるべき遊技領域が変化する遊技機に適用することも可能である。
手段６にかかる遊技機のように、入球した遊技球が第二出口よりも第一出口に振分けられやすくなるように設定されていれば、入球口に遊技球が過剰に入球することによって遊技の興趣が低下するのを抑制することが可能である。
手段７にかかる遊技機によれば、入球したときに第一入球口や第二入球口とは異なる事象が発生する別の入球口が第一出口から出た遊技球が進入する領域（第一入球口が設けられた領域）に設けられているため、第一入球口や第二入球口に遊技球が入球した時と別の入球口に遊技球が入球したときに発生する事象に差（例えば遊技者が受ける利益の差）を設定することで、遊技の趣向性を高めることが可能である。